(57)【要約】      （修正有）【課題】種々の大きさの商品を陳列でき、斬新なデスプレイが可能な商品陳列装置を提供する。【解決手段】縦または横に長く、前後に貫通し上下および左右方向に多数規則的に並設する取付孔１１を形成した縦板状のボード１と、取付孔に係合する係合体１５を有し商品をボードに陳列する展示用部材１２とからなる商品陳列装置であり、展示用部材１２は、フック部１４を軸棒状でボードの表面側に突出させた軸状展示用部材１２Ａと、フック部をリング状に形成したカップ状展示用部材１２Ｂと、フック部を篭状の篭部とした所定の大きさを有する容器の商品を陳列する篭状展示用部材１２Ｃとを、選択して商品を陳列する構成とした。【選択図】図１
0003184607.tif 000002
【実用新案登録請求の範囲】
【請求項１】
縦または横に長く、前後に貫通し上下および左右方向に多数規則的に並設する取付孔１１を形成した縦板状のボード１と、前記取付孔１１に係合する係合体１５を有し商品をボード１に陳列する展示用部材１２とからなり、前記展示用部材１２は、商品を吊設または載置するフック部１４の形状を相違させたものを数種類用意して選択的に前記取付孔１１に係合させて商品を陳列する構成とした商品陳列装置。
【請求項２】
請求項１において、前記展示用部材１２は、フック部１４を軸棒状でボード１の表面側に突出させた軸状展示用部材１２Ａと、フック部１４をリング状に形成したカップ状展示用部材１２Ｂと、フック部１４を篭状の篭部２０とした所定の大きさを有する容器の商品を陳列する篭状展示用部材１２Ｃとを、選択して商品を陳列する構成とした商品陳列装置。
【請求項３】
請求項２において、前記取付孔１１は、丸孔または角孔形状で、上下左右に同じ間隔で並設し、前記軸状展示用部材１２Ａとカップ状展示用部材１２Ｂと篭状展示用部材１２Ｃの前記係合体１５の縦軸部１７は、前記取付孔１１と同形に形成し、何れの取付孔１１にも係合する構成とした商品陳列装置。
【考案の詳細な説明】
【技術分野】
【０００１】
本考案は、商品または商品の包装パッケージを、種々の形状のフック部や篭部２０に吊設あるいは載置して陳列する商品陳列装置に係るものである。
【背景技術】
【０００２】
従来、縦または横に長く、前後に貫通する取付孔を形成した縦板状のボードと、縦のベース部と該ベース部の裏面側上部に設けられ前記取付孔に挿通する係合体と表側に所定長さ先端に至るに従い高くなるように突出させて形成したフック部を有する展示用部材とからなり、前記ボードの取付孔は前記係合体に対応させて形成した構成は、公知である（特許文献１）。
【先行技術文献】
【特許文献】
【０００３】
【特許文献１】特開平１１−３１８６５０号公報
【考案の概要】
【考案が解決しようとする課題】
【０００４】
前記公知例は、軸棒状のフック部に商品を吊って陳列するので、陳列手段に選択の余地がなく、吊設できない商品は陳列できないという課題がある。
本願は、展示用部材１２を工夫し、種々の形状の商品でもデスプレイできると共に、購買者の注目を引くような斬新なデスプレイも可能としたものである。
【課題を解決するための手段】
【０００５】
請求項１の考案は、縦または横に長く、前後に貫通し上下および左右方向に多数規則的に並設する取付孔１１を形成した縦板状のボード１と、前記取付孔１１に係合する係合体１５を有し商品をボード１に陳列する展示用部材１２とからなり、前記展示用部材１２は、商品を吊設または載置するフック部１４の形状を相違させたものを数種類用意して選択的に前記取付孔１１に係合させて商品を陳列する構成とした商品陳列装置としたものである。
請求項２の考案は、前記展示用部材１２は、フック部１４を軸棒状でボード１の表面側に突出させた軸状展示用部材１２Ａと、フック部１４をリング状に形成したカップ状展示用部材１２Ｂと、フック部１４を篭状の篭部２０とした所定の大きさを有する容器の商品を陳列する篭状展示用部材１２Ｃとを、選択して商品を陳列する構成とした商品陳列装置としたものである。
請求項３の考案は、前記取付孔１１は、丸孔または角孔形状で、上下左右に同じ間隔で並設し、前記軸状展示用部材１２Ａとカップ状展示用部材１２Ｂと篭状展示用部材１２Ｃの前記係合体１５の縦軸部１７は、前記取付孔１１と同形に形成し、何れの取付孔１１にも係合する構成とした商品陳列装置としたものである。
【考案の効果】
【０００６】
請求項１の考案では、縦横の大きさの相違する商品であっても、これに合わせて展示用部材１２の装着箇所を変更することにより陳列可能になり、また、ボード１に対するの展示用部材１２の位置を、所望のデスプレイとなるようにすることもでき、商品の注目度を向上させることができ、また、種々の形状の展示用部材１２を選択することにより、形状や包装形態を選ばずに種々の商品を吊設または載置して陳列でき、
ボード１としての汎用性を向上させることができる。
請求項２の考案では、軸状展示用部材１２Ａとカップ状展示用部材１２Ｂと篭状展示用部材１２Ｃにより、展示形態を種々選択でき、選択範囲を広げて商品の陳列形態の汎用性を高めることができる。
請求項３の考案では、軸状展示用部材１２Ａとカップ状展示用部材１２Ｂと篭状展示用部材１２Ｃの夫々を単独でボード１に装着できるのみならず混在させて装着させることができ、一層、商品の陳列形態の汎用性および商品の注目度を高めることができる。
【図面の簡単な説明】
【０００７】
【図１】展示用部材とボードの斜視図。
【図２】展示用部材を装着したボードの正面図。
【図３】同側面図。
【図４】同縦断側面図。
【図５】同背面図。
【図６】同平面図。
【図７】展示用部材とボードの他の実施例の斜視図。
【図８】同展示用部材を装着したボードの正面図。
【図９】同側面図。
【図１０】同縦断側面図。
【図１１】同背面図。
【図１２】同平面図。
【考案を実施するための形態】
【０００８】
本考案の一実施例を図面により説明すると、１はマルチハンガーと呼ぶ商品陳列装置の縦または横に長い縦板状のボード１であり、ボード１の上部には取付用紐部材２を挿通する挿通孔３を形成し、挿通孔３の下方には商品名等を記載する表示部４を形成し、表示部４の下方に商品陳列部５を形成する。
【０００９】
ボード１の前記商品陳列部５には上下左右に所定間隔を置いて多数の前後方向に貫通する取付孔１１を形成し、該取付孔１１に商品を展示する展示吊す展示用部材１２を装着する。
展示用部材１２は、ベース部１３に商品を展示するフック部１４と前記取付孔１１に係合する係合体１５を設けて構成する。
【００１０】
係合体１５は、ベース部１３の上部に、上方に突出する縦軸部１７を設けて構成する。係合体１５は、縦軸部１７を略水平状態で取付孔１１に対向させて挿通し、次ぎに、縦軸部１７の根本まで挿通したら、縦軸部１７を縦向きにして、ベース部１３をボード１の表面に当接させて、展示用部材１２の装着が完了する。
【００１１】
展示用部材１２は、フック部１４の形状の相違するものを数種類用意し、選択的に係合体１５を取付孔１１に係合させて商品を陳列する。
【００１２】
展示用部材１２のうちの、軸状展示用部材１２Ａは、フック部１４を軸形状に形成する。軸状フック部１４は、実施形態では略水平に形成しているが、先端に至るに従い高くなるように前上がりの傾斜、あるいは、前下がり傾斜させて形成してもよい。
【００１３】
また、展示用部材１２のうちの、カップ状展示用部材１２Ｂは、コーヒーやカップ麺等のカップ状の商品を陳列しうるように、フック部１４をリング形状に形成する。カップ状展示用部材１２Ｂでは、リング状フック部１４の基部を、Ｕ型状の軸部材により形成した軸状ベース部１３に固定し、ベース部１３の上部に係合体１５を形成する。この係合体１５は、ベース部１３の上部にボード１の裏面側に突き出る横軸部１６を形成し、横軸部１６の後端を上方に屈曲させて前記縦軸部１７を連設して構成している。
【００１４】
また、展示用部材１２のうちの、篭状展示用部材１２Ｃは、軸状展示用部材１２Ａやカップ状展示用部材１２Ｂでは陳列できない、例えば、シャンプー等のボトル形状の容器に充填された商品を陳列するものであり、篭状展示用部材１２Ｃでは、フック部１４を商品を載置する篭形状の篭部２０としている。
【００１５】
この場合、軸状展示用部材１２Ａと、カップ状展示用部材１２Ｂと、篭状展示用部材１２Ｃとは、夫々、単独で１種類の商品をボード１に陳列させて販売可能であるが、軸状展示用部材１２Ａと、カップ状展示用部材１２Ｂと、篭状展示用部材１２Ｃの夫々の係合体１５の縦軸部１７は同径に形成し、同じボード１の取付孔１１に係合させて、軸状展示用部材１２Ａと、カップ状展示用部材１２Ｂと、篭状展示用部材１２Ｃとを混在させてボード１に装着して複数種類の商品をボード１に陳列させて販売可能に構成する。
【００１６】
例えば、ボード１の上部に、軸状展示用部材１２Ａにより小型の商品を陳列し、カップ状展示用部材１２Ｂにより中型の商品を陳列し、篭状展示用部材１２Ｃにより大型の商品を陳列する。
【００１７】
また、前記取付孔１１は、上下左右に略等間隔に形成しており、取付孔１１に各種の展示用部材１２を装着することにより、等間隔での商品陳列ができ、この点で、美麗な商品陳列配置となり、商品のイメージも向上させられる。
【００１８】
図７〜図１２は、前記ボード１と前記展示用部材１２の他の実施例を示し、前記ボード１の取付孔１１は、角孔形状であって上下または／および左右に等間隔で形成して、何れの取付孔１１でも軸状展示用部材１２Ａとカップ状展示用部材１２Ｂと篭状展示用部材１２Ｃの夫々の係合体１５を挿通係合させて、ボード１の商品陳列部５の任意の場所に展示用部材１２を装着しうるようにしている。
【００１９】
（実施形態の作用）
次に作用を述べる。
ボード１に取付けた取付用紐部材２により、ボード１を任意の場所に吊設する。
次ぎに、展示用部材１２の一対の係合体１５の縦軸部１７を略水平状態で所望位置の取付孔１１に対向させて挿通し、次ぎに、縦軸部１７の根本まで挿通したら、縦軸部１７を縦向きにして取付孔１１に嵌合させ、縦軸部１７とベース部１３との間にて前記ボード１を挟持して、展示用部材１２の装着が完了する。
【００２０】
この状態で、展示用部材１２のフック部１４に商品または商品の包装パッケージの孔を挿通させて、商品をフック部１４に吊って陳列する。
【００２１】
この場合、ボード１の取付孔１１は左右方向に一対の係合体１５と同じ間隔で並設しているから、何れの取付孔１１でも係合体１５を挿通係合させられる。
【００２２】
したがって、縦横の大きさの相違する商品であっても、これに合わせて展示用部材１２の装着箇所を変更することにより陳列可能になる。この点、季節商品や入れ替えの激しい商品の陳列において特に有効である。
【００２３】
また、ボード１に対するの展示用部材１２の位置を、所望のデスプレイとなるようにすることもでき、商品の注目度を向上させる。
【００２４】
前記展示用部材１２は、共通の係合体１５を有し、形状の相違するフック部１４を数種類容易し、選択的にボード１の取付孔１１に装着するように構成しているので、大きさの相違する商品のならず、形状の相違する商品を同じボード１に陳列することができ、購買者の商品選択を容易にさせる。
【００２５】
例えば、展示用部材１２のうちの、吊設用軸状展示用部材１２Ａでは、フック部１４を軸形状に形成しているので、軸状フック部１４に商品を吊って陳列する。
【００２６】
また、展示用部材１２のうちの、リング形状に形成したフック部１４を有するカップ状展示用部材１２Ｂでは、リング状フック部１４に、カップ形状の商品をリング状フック部１４に嵌合させて陳列する。
【００２７】
また、展示用部材１２のうちの、篭状に形成した篭部２０に係合体１５を取付けて構成した篭状展示用部材１２Ｃでは、所定容積を有して嵩張るシャンプー等の商品を篭部２０に収容載置して陳列する
【００２８】
この場合、軸状展示用部材１２Ａと、カップ状展示用部材１２Ｂと、篭状展示用部材１２Ｃとは、夫々、単独で１種類の商品をボード１に陳列させて販売可能であり、例えば、ボード１の全面に各展示用部材１２に電池の商品パッケージを吊して陳列する。
【００２９】
同様に、例えば、ボード１の全面にカップ状展示用部材１２Ｂにより、カップ麺等の商品をリング状フック部１４に嵌合させて陳列する。
【００３０】
また、図示は省略するが、篭状展示用部材１２Ｃの篭部２０を、ボード１に上下三段ほど、係合体１５により係合装着させ、各段の篭部２０に夫々商品を載置して陳列してもよい。
【００３１】
また、軸状展示用部材１２Ａと、カップ状展示用部材１２Ｂと、篭状展示用部材１２Ｃとを上下に並列させて、夫々に商品を陳列させてもよい。
【符号の説明】
【００３２】
１…ボード、２…取付用紐部材、３…挿通孔、４…表示部、５…商品陳列部、６…表示部材、１１…取付孔、１２…展示用部材、１３…ベース部、１４…フック部、１５…係合体、１６…横軸部、１７…縦軸部、２０…篭部。
【図１】
0003184607.tif 000003
【図２】
0003184607.tif 000004
【図３】
0003184607.tif 000005
【図４】
0003184607.tif 000006
【図５】
0003184607.tif 000007
【図６】
0003184607.tif 000008
【図７】
0003184607.tif 000009
【図８】
0003184607.tif 000010
【図９】
0003184607.tif 000011
【図１０】
0003184607.tif 000012
【図１１】
0003184607.tif 000013
【図１２】
0003184607.tif 000014